(57)【要約】      （修正有）【課題】端子の連れ回りを抑制できる蓄電装置の提供。【解決手段】二次電池１０は、ネジ部を有する端子１５と、正極タブ３１と端子１５とに接合されている正極導電部材４０と、端子１５と電極組立体１４との間に介在する絶縁カバー部材６２とを備えており、絶縁カバー部材６２は電極組立体１４の積層方向に所定の幅を有する非円形のベース部６２ａを備え、ベース部６２ａの幅はケース１１の対向内面との当接によって端子１５及び導電部材４０の回転が規制されるように対向内面間の距離に対応させて設定されている蓄電装置。【選択図】図３
2016103447.tif 000002
【特許請求の範囲】
【請求項１】
異なる極性の電極がセパレータを介して交互に積層された電極組立体と、
前記電極組立体が収容されているものであって、前記電極の積層方向に直交する方向に沿い、且つ互いに対向する２つの対向内面を有するケースと、
前記ケースの内外に跨って配置されているものであってネジ部を有する端子と、
前記電極の端部から突出した形状のタブと前記端子とに接合されている導電部材と、
前記端子、前記導電部材、若しくは前記端子又は前記導電部材に取り付けられる部品のいずれかに取り付けられるものであって、前記端子と前記電極組立体との間に介在する絶縁カバー部材と、
を備え、
前記絶縁カバー部材は、前記端子及び前記導電部材に対する回転が規制されており、
前記絶縁カバー部材は、前記電極の積層方向に所定の幅を有する非円形のベース部を備え、前記ベース部の幅は、前記ベース部と前記対向内面との当接によって前記端子及び前記導電部材の回転が規制されるように前記両対向内面間の距離に対応させて設定されていることを特徴とする蓄電装置。
【請求項２】
前記ベース部の幅は、前記両対向内面間の距離と同一に設定されている請求項１に記載の蓄電装置。
【請求項３】
前記絶縁カバー部材と、前記端子又は前記導電部材とのいずれか一方には非円柱状の凸部が有り、他方には前記凸部と嵌合する凹部が有る請求項１又は請求項２に記載の蓄電装置。
【請求項４】
前記蓄電装置は二次電池である請求項１〜３のうちいずれか一項に記載の蓄電装置。
【発明の詳細な説明】
【技術分野】
【０００１】
本発明は、蓄電装置に関する。
【背景技術】
【０００２】
蓄電装置としての二次電池は、例えば電極がセパレータを介して交互に積層された電極組立体と、電極組立体が収容されたケースとを備えている場合がある（例えば特許文献１参照）。また、特許文献１には、二次電池が端子を有する点、及び、当該端子はナットによる螺合によって蓋に取り付けられる点が記載されているとともに、端子とリード板とが接触している構成が記載されている。また、特許文献１には、端子には、電源ケーブルの一端部を固定するのに使用される雌ネジ部が有ることが記載されている。
【先行技術文献】
【特許文献】
【０００３】
【特許文献１】特開２００６−３２４１７８号公報
【発明の概要】
【発明が解決しようとする課題】
【０００４】
ここで、例えば上記特許文献１のように、ナットの螺合によって端子が蓋に取り付けられる構成においては、ナットを端子に螺合する際に、ナットの回転に伴って端子が回転してしまう端子の連れ回りという事象が生じる場合がある。当該端子の連れ回りは、例えば電源ケーブルやバスバー等を端子に固定するために、ボルト等の固定部材を、端子に有る雌ネジ部に螺合する場合にも生じ得る。
【０００５】
端子の連れ回りが生じると、例えばリード板等といった端子と接合されている部品が端子とともに回転する場合がある。例えば二次電池が、電極の端部から突出した形状のタブと端子とに接合されている導電部材を備えている場合には、端子と導電部材とが一体となって回転することによって、導電部材とタブとの接合箇所に負荷が付与される場合がある。この場合、電気抵抗の増加等といった不都合が懸念される。
【０００６】
本発明は、上述した事情を鑑みてなされたものであり、その目的は端子の連れ回りを抑制できる蓄電装置を提供することである。
【課題を解決するための手段】
【０００７】
上記目的を達成する蓄電装置は、異なる極性の電極がセパレータを介して交互に積層された電極組立体と、前記電極組立体が収容されているものであって、前記電極の積層方向に直交する方向に沿い、且つ互いに対向する２つの対向内面を有するケースと、前記ケースの内外に跨って配置されているものであってネジ部を有する端子と、前記電極の端部から突出した形状のタブと前記端子とに接合されている導電部材と、前記端子、前記導電部材、若しくは前記端子又は前記導電部材に取り付けられる部品のいずれかに取り付けられるものであって、前記端子と前記電極組立体との間に介在する絶縁カバー部材と、を備え、前記絶縁カバー部材は、前記端子及び前記導電部材に対する回転が規制されており、前記絶縁カバー部材は、前記電極の積層方向に所定の幅を有する非円形のベース部を備え、前記ベース部の幅は、前記ベース部と前記対向内面との当接によって前記端子及び前記導電部材の回転が規制されるように前記両対向内面間の距離に対応させて設定されていることを特徴とする。
【０００８】
かかる構成によれば、端子及び導電部材の回転が、端子と電極組立体との間に介在する絶縁カバー部材のベース部と、対向内面との当接によって規制される。これにより、絶縁性を確保するための絶縁カバー部材を用いて端子の連れ回りを抑制することができる。
【０００９】
上記蓄電装置について、前記ベース部の幅は、前記両対向内面間の距離と同一に設定されているとよい。かかる構成によれば、ベース部の幅が両対向内面間の距離と同一に設定されているため、端子及び導電部材が回転することが困難となる。これにより、絶縁カバー部材を用いて端子の連れ回りを好適に抑制できる。
【００１０】
上記蓄電装置について、前記絶縁カバー部材と、前記端子又は前記導電部材とのいずれか一方には非円柱状の凸部が有り、他方には前記凸部と嵌合する凹部が有るとよい。かかる構成によれば、凸部と凹部との嵌合を介して、端子等に付与される回転力が絶縁カバー部材に伝達される。これにより、端子等に付与される回転力を絶縁カバー部材によって好適に受けることができる。
【００１１】
上記蓄電装置は二次電池であるとよい。
【発明の効果】
【００１２】
この発明によれば、端子の連れ回りを抑制できる。
【図面の簡単な説明】
【００１３】
【図１】第１実施形態の二次電池及び電池モジュールの斜視図。
【図２】電極組立体の分解斜視図。
【図３】二次電池の分解斜視図。
【図４】正極側の接合構造を示す分解斜視図。
【図５】正極端子の底面図。
【図６】正極ベース部周辺を示す平面図。
【図７】図６の７−７線断面図。
【図８】負極側の接合構造を説明するための分解斜視図。
【図９】負極ベース部周辺を示す平面図。
【図１０】図９の１０−１０線断面図。
【図１１】第２実施形態の正極導電部材及び第２正極絶縁カバー部材を示す斜視図。
【図１２】正極導電部材及び第２正極絶縁カバー部材等を示す分解斜視図。
【図１３】正極端子周辺の断面図。
【図１４】別例の正極ベース部を示す平面図。
【発明を実施するための形態】
【００１４】
（第１実施形態）
以下、蓄電装置の第１実施形態について図１〜図１０を用いて説明する。なお、図１においては、図示の都合上、一部のバスバー２０１及びボルト２０２については省略して示す。図６及び図９については、蓋１３及び絶縁カバー１１０を破断して示す。図７及び図１０においては溶接箇所をドットハッチにて示す。
【００１５】
図１に示すように、蓄電装置としての二次電池１０は、直方体形状のケース１１を備えている。ケース１１は、一方に開口した有底箱状のケース本体１２と、ケース本体１２の開口部分を塞ぐ長方形平板状の蓋１３とを備えている。ケース本体１２と蓋１３とは、溶接などによって接合されている。
【００１６】
二次電池１０は、ケース１１に収容されている電極組立体１４及び電解液（図示略）と、電極組立体１４と電力のやり取りを行う正極端子１５及び負極端子１６とを備えている。各端子１５，１６は金属製である。各端子１５，１６は、ケース１１の蓋１３にあり、ケース１１の内外に跨って配置されている。なお、本実施形態の二次電池１０は例えばリチウムイオン電池である。
【００１７】
図１に示すように、電池モジュール２００は、連結部材としてのバスバー２０１を用いて複数の二次電池１０が連結されることによって構成されている。なお、複数の二次電池１０は互いに直列に接続されている。
【００１８】
図２に示すように、電極組立体１４は、異なる極性の電極としての正極電極２１及び負極電極２２が、電気伝導に係るイオンが通過可能な多孔質膜であるセパレータ２３を介して交互に積層された構造である。各電極２１，２２及びセパレータ２３は、長方形状のシートである。
【００１９】
正極電極２１は、長方形状の正極金属箔（例えばアルミニウム箔）２１ａと、当該正極金属箔２１ａの両面に有る正極活物質層２１ｂと、を有する。負極電極２２は、長方形状の負極金属箔（例えば銅箔）２２ａと、当該負極金属箔２２ａの両面に有る負極活物質層２２ｂと、を有する。電極組立体１４を構成している状態において、正極活物質層２１ｂは負極活物質層２２ｂに覆われ、且つ、各電極２１，２２はセパレータ２３によって覆われている。
【００２０】
正極電極２１は、当該正極電極２１の端部２１ｃから突出した形状の正極タブ３１を有する。同様に、負極電極２２は、当該負極電極２２の端部２２ｃから突出した形状の負極タブ３２を有する。
【００２１】
各電極２１，２２は、各タブ３１，３２の同一極性同士が列状に配置されるように積層されている。そして、図３に示すように、各負極タブ３２は電極２１，２２の積層方向Ｙの一方に寄せて集められ、その集められた状態で他方に折り返されている。同様に、各正極タブ３１は、電極２１，２２の積層方向Ｙの一方に寄せて集められた状態で他方に折り返されている。電極組立体１４は、各タブ３１，３２が存在する端面１４ａと蓋１３の内面１３ａとが対向する状態でケース１１内に収容されている。
【００２２】
ここで、以降の説明において、電極組立体１４の端面１４ａと、各端子１５，１６が存在するケース１１の壁部としての蓋１３とが対向する方向（端面１４ａと蓋１３の内面１３ａに垂直な線が延びる方向）を対向方向Ｚとする。また、電極２１，２２の積層方向Ｙ及び対向方向Ｚの双方に直交する方向を横方向Ｘとする。
【００２３】
また、説明の便宜上、対向方向Ｚにおける電極組立体１４の端面１４ａから蓋１３に向かう方向を単に上方と言い、対向方向Ｚにおける蓋１３から電極組立体１４の端面１４ａに向かう方向を下方と言う。この場合、対向方向Ｚは上下方向とも言える。
【００２４】
図３に示すように、二次電池１０は、電極組立体１４の表面のうち端面１４ａ以外を覆う絶縁フィルム３３を備えている。本実施形態では、電極組立体１４は６つの面を有するため、電極組立体１４は、当該電極組立体１４の端面１４ａ以外の５つの面が絶縁フィルム３３で覆われた状態でケース１１内に収容されている。
【００２５】
ここで、本実施形態の二次電池１０では、正極タブ３１と正極端子１５との電気的な接続に係る正極側の構成と、負極タブ３２と負極端子１６との電気的な接続に係る負極側の構成とが異なっている。このため、正極側の構成について詳細に説明した後に、負極側の構成について説明する。
【００２６】
図３及び図４に示すように、二次電池１０は、正極タブ３１と正極端子１５とに接合されている正極導電部材４０を備えている。正極導電部材４０は、ケース１１の蓋１３と電極組立体１４との間に存在する。
【００２７】
正極導電部材４０は、一枚の金属板、例えばアルミニウム板で構成されている。正極導電部材４０は、正極タブ３１に接合されている正極タブ接合部４１と、正極タブ接合部４１よりも電極組立体１４に近い位置に配置されたものであって正極端子１５に接合されている端子接合部４２とを有している。そして、正極導電部材４０は、正極タブ接合部４１及び端子接合部４２の双方と連続し、電極２１，２２の積層方向Ｙから見てクランク状に湾曲（屈曲）した正極湾曲部４３とを有している。
【００２８】
正極端子１５は、角柱状の正極頭部５１と、正極頭部５１の上面５１ａから上方に向けて延び、且つ、外周面にネジ部としての正極外側ネジ溝５２ａを有する正極軸部５２とを備えている。正極頭部５１は、ケース１１内に配置されており、正極軸部５２は、蓋１３に有る貫通孔１３ｂを介してケース１１外に突出している。
【００２９】
図３に示すように、正極軸部５２には、絶縁性のＯリング５３と、貫通孔１３ｂに嵌合するものであって絶縁性のフランジ付きリング５４とが挿通されている。そして、正極軸部５２の正極外側ネジ溝５２ａには、フランジ付きリング５４の上からナット５５が螺合されており、当該螺合によって正極端子１５と蓋１３とはユニット化されている。
【００３０】
なお、Ｏリング５３は、正極頭部５１と蓋１３とによって挟持されている。そして、フランジ付きリング５４は、正極軸部５２と蓋１３の貫通孔１３ｂの周縁部との間、及び、ナット５５と蓋１３との間に介在している。
【００３１】
正極端子１５の正極軸部５２は、ケース１１外に開口している正極穴５６を備えている。正極穴５６は対向方向Ｚに延びている。正極穴５６の内周面には、ボルト２０２と螺合可能なネジ部としての正極内側ネジ溝５６ａが有る（図７参照）。バスバー２０１に有る挿通孔２０１ａを介して、ボルト２０２が正極内側ネジ溝５６ａに螺合されることによって、バスバー２０１が正極端子１５に固定される。
【００３２】
正極導電部材４０の端子接合部４２は、正極湾曲部４３から電極組立体１４の横方向Ｘに延びた非円形（詳細には長方形）の板状であり、正極頭部５１と電極組立体１４との間に配置されている。また、上方から見て端子接合部４２の一部は正極頭部５１からはみ出している。
【００３３】
図５及び図７に示すように、正極頭部５１における電極組立体１４の端面１４ａとの対向面である下面５１ｂには、当該下面５１ｂから下方に向けて突出した正極溶接片５７が存在する。図７に示すように、正極溶接片５７に対応させて、正極導電部材４０の端子接合部４２には、正極溶接片５７と嵌合可能な溶接孔４２ａが存在する。正極溶接片５７は、溶接孔４２ａに嵌合している。正極導電部材４０と正極端子１５とは、正極溶接片５７と溶接孔４２ａの周縁部とが溶接されていることによって接合されている。
【００３４】
この場合、仮に正極外側ネジ溝５２ａへのナット５５の螺合、又は、正極内側ネジ溝５６ａへのボルト２０２の螺合の際に、正極端子１５がナット５５又はボルト２０２の回転に伴って、正極軸部５２の軸線を中心として回転すると、正極端子１５に接合されている正極導電部材４０も一体となって回転する。
【００３５】
図４に示すように、二次電池１０は、正極端子１５に取り付けられるものであって絶縁性を有する第１正極絶縁カバー部材６１と、正極端子１５（詳細には端子接合部４２）と電極組立体１４の端面１４ａとの間に介在するものであって絶縁性を有する第２正極絶縁カバー部材６２とを備えている。
【００３６】
第１正極絶縁カバー部材６１は、蓋１３と正極頭部５１との接触を規制している。第１正極絶縁カバー部材６１は略円筒状であって、正極頭部５１に対して上方から取り付けられており、正極頭部５１の上面５１ａ及び正極頭部５１の外周面の一部を覆っている。
【００３７】
第１正極絶縁カバー部材６１の内面は、角柱状の正極頭部５１の側面と同一形状であり、両者は嵌合している。これにより、正極端子１５に対する第１正極絶縁カバー部材６１の回転が規制されている。
【００３８】
第２正極絶縁カバー部材６２は、端子接合部４２及び正極溶接片５７と、電極組立体１４の端面１４ａとの接触を規制するものである。第２正極絶縁カバー部材６２は、電極２１，２２の積層方向Ｙに所定の幅Ｙ１（図６参照）を有する非円形の正極ベース部６２ａを有している。本実施形態では、正極ベース部６２ａは全体として長方形の板状であり、正極ベース部６２ａの幅Ｙ１は、横方向Ｘに応じて変動しない固定値である。
【００３９】
図４及び図６に示すように、第２正極絶縁カバー部材６２は、正極ベース部６２ａから端子接合部４２に向けて起立した４つの係止爪６２ｂを備えている。係止爪６２ｂは、端子接合部４２における正極頭部５１の外周面からはみ出した部分に係止しており、当該係止によって第２正極絶縁カバー部材６２が正極導電部材４０に取り付けられている。
【００４０】
ここで、係止爪６２ｂは、電極２１，２２の積層方向Ｙに対向配置されており、長方形の端子接合部４２を、電極２１，２２の積層方向Ｙから挟持している。これにより、第２正極絶縁カバー部材６２が、正極導電部材４０に対して回転することが規制されている。
【００４１】
ちなみに、係止爪６２ｂの弾性変形が可能となるように、正極ベース部６２ａにおける係止爪６２ｂの周囲は切り欠かれている。また、正極溶接片５７と正極ベース部６２ａとの干渉を回避するべく、正極ベース部６２ａは、正極溶接片５７が収容される収容凹部６２ｃを備えている。
【００４２】
ここで、正極ベース部６２ａの詳細についてケース１１の詳細等と合わせて説明する。図６に示すように、ケース１１は、電極２１，２２の積層方向Ｙに直交する方向に沿い、且つ互いに対向する２つの対向内面１１ａ，１１ｂを有している。絶縁フィルム３３は、電極組立体１４と対向内面１１ａ，１１ｂとの間に介在している。このため、電極２１，２２の積層方向Ｙにおける電極組立体１４の長さである電極組立体１４の厚さＤは、両対向内面１１ａ，１１ｂ間の距離Ｙ０よりも短い。
【００４３】
かかる構成において、正極ベース部６２ａは、対向内面１１ａ，１１ｂと当接することによって正極端子１５及び正極導電部材４０が回転するのを規制するものである。詳細には、正極ベース部６２ａの幅Ｙ１は、正極端子１５及び正極導電部材４０が回転するのを規制するように両対向内面１１ａ，１１ｂ間の距離Ｙ０に対応させて設定されており、本実施形態では、正極ベース部６２ａの幅Ｙ１は両対向内面１１ａ，１１ｂ間の距離Ｙ０と同一に設定されている。この場合、正極ベース部６２ａの幅Ｙ１は、電極組立体１４の厚さＤよりも長い。ここで、「同一」とは、正極ベース部６２ａの幅Ｙ１と両対向内面１１ａ，１１ｂ間の距離Ｙ０とが完全に同一である場合だけでなく、ある程度のバラつきを許容する。
【００４４】
図４及び図７に示すように、第２正極絶縁カバー部材６２は、非円柱状の凸部６２ｄを備えている。凸部６２ｄは例えば多角柱状であって、詳細には六角柱状である。凸部６２ｄは、正極軸部５２と同一軸線上に配置されている。
【００４５】
図５及び図７に示すように、正極端子１５の下面である正極頭部５１の下面５１ｂには、当該下面５１ｂから上方に凹んだ凹部５１ｃが有る。凹部５１ｃは凸部６２ｄが嵌合可能な形状であり、本実施形態では下方から見て六角形である。凹部５１ｃは、正極軸部５２と同一軸線上の位置に配置されている。第２正極絶縁カバー部材６２が正極導電部材４０に取り付けられている状態において、凸部６２ｄと凹部５１ｃとは嵌合している。第２正極絶縁カバー部材６２は、凸部６２ｄと凹部５１ｃとの嵌合によって、正極端子１５に対して回転することが規制されている。
【００４６】
次に負極側の構成について説明する。図３及び図８に示すように、二次電池１０は、負極タブ３２と負極端子１６とに接合されている負極導電部材７０を備えている。負極導電部材７０は、ケース１１の蓋１３と電極組立体１４との間に存在する。負極導電部材７０は、負極タブ３２に接合されているとともに、二次電池１０に有る電流遮断部９０を介して、負極端子１６に接合されている。
【００４７】
負極導電部材７０は、一枚の金属板、例えば銅板で構成されている。図８及び図１０に示すように、負極導電部材７０は、負極タブ３２に接合されている負極タブ接合部７１と、負極タブ接合部７１よりも電極組立体１４に近い位置に配置されたものであって電流遮断部９０に接合されている遮断接合部７２とを有している。負極導電部材７０は、負極タブ接合部７１及び遮断接合部７２の双方と連続し、電極２１，２２の積層方向Ｙから見てクランク状に湾曲（屈曲）した負極湾曲部７３を有している。負極湾曲部７３はくびれている。
【００４８】
図８に示すように、負極端子１６は、角柱状の負極頭部８１と、負極頭部８１の上面８１ａから上方に向けて延び、外周面に負極外側ネジ溝８２ａを有する負極軸部８２とを備えている。負極頭部８１は、ケース１１内に配置されており、負極軸部８２は、蓋１３に有る貫通孔１３ｂを介してケース１１外に突出している。負極軸部８２には、絶縁性のＯリング８３と、蓋１３に有る貫通孔１３ｂに嵌合するものであって絶縁性のフランジ付きリング８４とが挿通されている。そして、負極軸部８２の負極外側ネジ溝８２ａには、フランジ付きリング８４の上からナット８５が螺合されており、負極端子１６と蓋１３とがユニット化されている。
【００４９】
なお、Ｏリング８３は、負極頭部８１と蓋１３との間に介在している。フランジ付きリング８４は、負極軸部８２と蓋１３の貫通孔１３ｂの周縁部との間、及び、ナット８５と蓋１３との間に介在している。
【００５０】
負極端子１６の負極軸部８２は、ケース１１外に開口している負極穴８６を備えている。負極穴８６は対向方向Ｚに延びている。負極穴８６の内周面には、ボルト２０２と螺合可能なネジ部としての負極内側ネジ溝８６ａが有る（図１０参照）。バスバー２０１に有る挿通孔２０１ａを介して、ボルト２０２が負極内側ネジ溝８６ａに螺合されることによって、バスバー２０１が負極端子１６に固定される。
【００５１】
電流遮断部９０は、負極端子１６と負極導電部材７０とを電気的に接続し、且つ、ケース１１内の圧力が規定圧を超えた場合に、負極端子１６と負極導電部材７０との電気的な接続を遮断する。つまり、電流遮断部９０は、ケース１１内の圧力が規定圧以下である場合において負極端子１６及び負極タブ３２間の通電経路の一部を構成する一方、ケース１１内の圧力が規定圧を超えた場合において上記通電経路を遮断する。
【００５２】
図１０に示すように、電流遮断部９０は、負極頭部８１の電極組立体１４との対向面である下面８１ｂと遮断接合部７２とに接合されている接点板９１を備えている。接点板９１は、導電性材料で構成されたダイヤフラムである。負極頭部８１の下面８１ｂには、上方に向けてすり鉢状に凹んだ負極端子凹部８１ｃが有る。接点板９１は、負極端子凹部８１ｃと対向し、且つ、下方に凸となった状態で、負極頭部８１と遮断接合部７２との双方に溶接されている。この場合、負極導電部材７０は、接点板９１を介して、負極端子１６に接合されている。
【００５３】
つまり、端子とタブとに接合されている導電部材とは、正極導電部材４０のように直接接合されている構成と、負極導電部材７０のように接点板９１等を介して接合されている構成とを含む。
【００５４】
かかる構成においては、仮に負極外側ネジ溝８２ａへのナット８５の螺合、又は、負極内側ネジ溝８６ａへのボルト２０２の螺合の際に、ナット８５又はボルト２０２の回転に伴って、負極端子１６が負極軸部８２の軸線を中心として回転すると、接点板９１を介して負極端子１６に接合されている負極導電部材７０も一体となって回転する。
【００５５】
なお、図１０に示すように、接点板９１の外周部と遮断接合部７２との間には、絶縁リング９２が存在する。接点板９１は、絶縁リング９２と負極頭部８１の下面８１ｂとの挟持によって支持されている。また、絶縁リング９２の外側であって負極頭部８１と遮断接合部７２との間にはシール部材９３が有る。
【００５６】
遮断接合部７２には、蓋１３に向けてすり鉢状に凹んだ遮断凹部７２ａが存在する。遮断凹部７２ａの底面は、上方から見て接点板９１と遮断接合部７２との溶接部分を含む。
電流遮断部９０は、遮断接合部７２の下方に配置され、ケース１１内の圧力によって変形する変形板９４を備えている。変形板９４は、導電性材料で構成されたダイヤフラムである。変形板９４は、通常状態において下方に向けて凸となっており、当該凸部分における接点板９１と遮断接合部７２との溶接部分と対向する箇所には、上方に向けて突出した突起９４ａが有る。変形板９４は、下方から上方に向けて規定圧よりも大きい圧力が付与された場合には、上方に向けて凸となるように構成されている。
【００５７】
二次電池１０は、変形板９４を下方から支持するものであって、変形板９４と電極組立体１４とを絶縁する絶縁性の第１負極絶縁カバー部材１０１を備えている。第１負極絶縁カバー部材１０１は、負極端子１６と電極組立体１４の端面１４ａとの間に介在しており、詳細には変形板９４と端面１４ａとの間に介在している。図８〜図１０に示すように、第１負極絶縁カバー部材１０１は、電極２１，２２の積層方向Ｙに所定の幅Ｙ２を有する非円形状の負極ベース部１０１ａと、負極ベース部１０１ａの上面に有る略円板状の支持部１０１ｂとを有する。支持部１０１ｂには、下方に凸となった変形板９４に沿うように凹んだ支持凹部１０１ｃが存在する。支持凹部１０１ｃの底面における突起９４ａと対向する箇所には、第１負極絶縁カバー部材１０１を対向方向Ｚに貫通したガス孔１０１ｄが存在する。支持部１０１ｂにおける支持凹部１０１ｃの周縁部と、遮断接合部７２の下面とは接触している。
【００５８】
かかる構成によれば、ガス孔１０１ｄを介して、ケース１１内の圧力が変形板９４に付与されている。この場合、ケース１１内の圧力が規定圧を超えた場合には、図１０の２点鎖線に示すように、変形板９４が上方に向けて凸となるように変形する。すると、突起９４ａが接点板９１と遮断接合部７２との溶接部分に衝突し、その結果、接点板９１が上方に向けて凸となるように変形する。この際、上記溶接部分が破断され、遮断接合部７２と負極端子１６との電気的接続が物理的に遮断される。
【００５９】
図８及び図１０に示すように、二次電池１０は、負極頭部８１の上面８１ａ及び外周面を覆う絶縁性を有する第２負極絶縁カバー部材１０２と、第２負極絶縁カバー部材１０２、負極頭部８１、絶縁リング９２、シール部材９３、遮断接合部７２、変形板９４及び第１負極絶縁カバー部材１０１をユニット化するカシメ部材１０３とを備えている。
【００６０】
第２負極絶縁カバー部材１０２は、負極頭部８１に対して上方から取り付けられるものであって、蓋１３と負極頭部８１との接触を規制するものである。詳細には、第２負極絶縁カバー部材１０２は、負極頭部８１の上面８１ａ及び外周面を覆っている。
【００６１】
なお、第２負極絶縁カバー部材１０２の内面は、角柱状の負極頭部８１の側面と同一形状であり、両者は嵌合している。このため、仮に負極端子１６が回転した場合、負極端子１６の回転に伴って、第２負極絶縁カバー部材１０２も回転し得る。
【００６２】
カシメ部材１０３は、円筒部１０３ａと、当該円筒部１０３ａの軸線方向の両端部に有って径方向内側に延びた上鍔部１０３ｂ及び下鍔部１０３ｃとを有する。カシメ部材１０３は、上鍔部１０３ｂが第２負極絶縁カバー部材１０２に係止し、且つ、下鍔部１０３ｃが支持部１０１ｂの外周面に存在する段差部に係止することにより、上記各種部材をユニット化している。すなわち、第１負極絶縁カバー部材１０１は、カシメ部材１０３によって負極端子１６及び負極導電部材７０に取り付けられている。この場合、第１負極絶縁カバー部材１０１は、カシメ部材１０３によるカシメ（詳細には挟持）によって負極端子１６及び負極導電部材７０に対する回転が規制されている。
【００６３】
図８及び図９に示すように、本実施形態の負極ベース部１０１ａは、対向方向Ｚから見て長方形の板状である。負極ベース部１０１ａの幅Ｙ２は、横方向Ｘに応じて変動しない一定値である。
【００６４】
ここで、負極ベース部１０１ａは、対向内面１１ａ，１１ｂと当接することによって負極端子１６及び負極導電部材７０が回転するのを規制するものである。詳細には、負極ベース部１０１ａの幅Ｙ２は、負極端子１６及び負極導電部材７０が回転するのを規制するように両対向内面１１ａ，１１ｂ間の距離Ｙ０に対応させて設定されており、本実施形態では、負極ベース部１０１ａの幅Ｙ２は両対向内面１１ａ，１１ｂ間の距離Ｙ０と同一に設定されている。この場合、負極ベース部１０１ａの幅Ｙ２は、電極組立体１４の厚さＤよりも長い。なお、「同一」の意味合いについては、正極ベース部６２ａの幅Ｙ１と同一である。本実施形態では、両ベース部６２ａ，１０１ａが「規制部」に対応する。
【００６５】
なお、図３に示すように、二次電池１０は、正極タブ接合部４１及び負極タブ接合部７１と、蓋１３との間に配置される絶縁カバー１１０を備えている。絶縁カバー１１０は、長方形の板状の本体部と、当該本体部の短手方向の端部から下方に起立した起立部とを有しており、横方向Ｘから見て逆Ｕ字状となっている。絶縁カバー１１０は、正極タブ接合部４１及び負極タブ接合部７１に跨って配置されている。
【００６６】
次に本実施形態の作用について説明する。
端子１５，１６をケース１１の蓋１３に取り付けるために端子１５，１６の外側ネジ溝５２ａ，８２ａにナット５５，８５を螺合する際、及び、バスバー２０１を端子１５，１６に固定するために、端子１５，１６の内側ネジ溝５６ａ，８６ａにボルト２０２を螺合する際、端子１５，１６に回転力が付与される。すると、端子１５，１６が、軸部５２，８２の軸線を中心として、導電部材４０，７０ごと回転しようとする。この場合、導電部材４０，７０に対して回転規制された状態で取り付けられているベース部６２ａ，１０１ａも回転しようとする。しかしながら、該回転は、正極ベース部６２ａと対向内面１１ａ，１１ｂとの当接、及び、負極ベース部１０１ａと対向内面１１ａ，１１ｂとの当接によって規制される。本実施形態では、ベース部６２ａ，１０１ａが「規制部」に対応する。
【００６７】
以上詳述した本実施形態によれば以下の効果を奏する。
（１）二次電池１０は、絶縁カバー部材として、正極導電部材４０に取り付けられる第２正極絶縁カバー部材６２と、負極導電部材７０に取り付けられる第１負極絶縁カバー部材１０１とを備えている。絶縁カバー部材６２，１０１は、端子１５，１６と電極組立体１４との間に介在しており、端子１５，１６及び導電部材４０，７０に対する回転が規制されている。絶縁カバー部材６２，１０１は、電極２１，２２の積層方向Ｙに所定の幅Ｙ１，Ｙ２を有する非円形のベース部６２ａ，１０１ａを備えている。ベース部６２ａ，１０１ａの幅Ｙ１，Ｙ２は、ベース部６２ａ，１０１ａと両対向内面１１ａ，１１ｂとの当接によって端子１５，１６及び導電部材４０，７０の回転が規制されるように両対向内面１１ａ，１１ｂ間の距離Ｙ０に対応させて設定されている。
【００６８】
かかる構成によれば、短絡を抑制するための構成である絶縁カバー部材６２，１０１を用いて、端子１５，１６の連れ回りを抑制できる。よって、端子１５，１６に接合された導電部材４０，７０の連れ回りを抑制できるため、導電部材４０，７０とタブ３１，３２との溶接箇所に負荷が付与されることを抑制できる。また、端子１５，１６の回転に伴って、頭部５１，８１と蓋１３とによって挟持されているＯリング５３，８３が捻れて絶縁性が低下するという事態を回避できる。
【００６９】
（２）特に、二次電池１０は、電極組立体１４の表面のうち端面１４ａ以外を覆う絶縁フィルム３３を備えている。これにより、電極組立体１４の端面１４ａ以外の部位とケース１１との接触を抑制できる。一方、タブ３１，３２が存在する電極組立体１４の端面１４ａは、絶縁フィルム３３によって覆われることなく露出している。このため、電極組立体１４の端面１４ａと、正極導電部材４０や変形板９４等との接触が生じ得る。これに対して、本実施形態では、絶縁カバー部材６２，１０１によって、上記接触が規制されているとともに、端子１５，１６の連れ回りを抑制することができる。よって、絶縁性の確保と端子１５，１６の連れ回りの抑制との両立を図ることができる。
【００７０】
（３）ベース部６２ａ，１０１ａの幅Ｙ１，Ｙ２は、両対向内面１１ａ，１１ｂ間の距離Ｙ０と同一に設定されている。これにより、端子１５，１６の回転が、正極ベース部６２ａと対向内面１１ａ，１１ｂとの当接、及び、負極ベース部１０１ａと対向内面１１ａ，１１ｂとの当接によって困難となる。また、端子１５，１６に回転力が付与された場合に、端子１５，１６等がガタつきにくい。よって、端子１５，１６の連れ回りを好適に抑制できる。
【００７１】
（４）第２正極絶縁カバー部材６２は、正極導電部材４０に係止する係止爪６２ｂを備えている。第２正極絶縁カバー部材６２は、係止爪６２ｂが正極導電部材４０に係止されることによって正極導電部材４０に対して回転規制された状態で取り付けられている。詳細には、正極導電部材４０の端子接合部４２は対向方向Ｚから見て非円形であり、係止爪６２ｂは、上記端子接合部４２を、対向方向Ｚと直交する方向（例えば電極２１，２２の積層方向Ｙ）から挟持している。これにより、第２正極絶縁カバー部材６２が対向内面１１ａ，１１ｂに当接することによって、第２正極絶縁カバー部材６２の回転が規制されると、回転規制された状態で第２正極絶縁カバー部材６２が取り付けられている正極導電部材４０、及び、正極導電部材４０に接合されている正極端子１５の回転が規制される。よって、正極端子１５の連れ回りを抑制できる。
【００７２】
（５）第２正極絶縁カバー部材６２には非円柱状の凸部６２ｄが有り、正極端子１５には凸部６２ｄと嵌合する凹部５１ｃが有る。これにより、正極端子１５に付与される回転力は、凸部６２ｄと凹部５１ｃとの嵌合を介して、第２正極絶縁カバー部材６２に伝達される。よって、正極端子１５のみが回転してしまう事態を抑制できる。
【００７３】
特に、本実施形態では、第２正極絶縁カバー部材６２に有る凸部６２ｄが、正極端子１５に有る凹部５１ｃに嵌合しているため、正極端子１５に付与される回転力が直接第２正極絶縁カバー部材６２に付与される。これにより、正極端子１５に付与される回転力を第２正極絶縁カバー部材６２によって好適に受けることができるとともに、正極端子１５と正極導電部材４０との溶接部分に付与される回転力の軽減を図ることができる。
【００７４】
（第２実施形態）
本実施形態では、正極導電部材及び正極絶縁カバー部材の構成が第１実施形態と異なっている。その異なる点について説明する。なお、第１実施形態と同一の構成については同一の符号を付すとともにその詳細な説明を省略する。
【００７５】
図１１及び図１２に示すように、本実施形態の正極導電部材１４０は、長方形の板状の正極タブ接合部１４１と、正極頭部５１の側面と同一の側面を有する板状の端子接合部１４２と、両接合部１４１，１４２に連続する正極湾曲部１４３とを備えている。正極湾曲部１４３はくびれている。
【００７６】
本実施形態の第１正極絶縁カバー部材１６１は、対向方向Ｚに延びた円筒状である。第１正極絶縁カバー部材１６１は、正極頭部５１の上面５１ａ及び外周面と端子接合部１４２とを覆った状態で正極端子１５に取り付けられている。第１正極絶縁カバー部材１６１の先端は、第２正極絶縁カバー部材１６２の正極ベース部１６２ａに当接している。第１正極絶縁カバー部材１６１が「端子又は導電部材に取り付けられる部品」に対応する。
【００７７】
ちなみに、図１２及び図１３に示すように、正極湾曲部１４３との干渉を回避するべく、第１正極絶縁カバー部材１６１において下方から見て正極湾曲部１４３と重なる位置には、逃し凹部１６１ａが存在する。
【００７８】
また、第１正極絶縁カバー部材１６１の内面は、角柱状の正極頭部５１の側面と同一形状であり、両者は嵌合している。これにより、正極端子１５に対する第１正極絶縁カバー部材１６１の回転が規制されている。この場合、仮に正極端子１５が回転した場合、正極端子１５の回転に伴って、第１正極絶縁カバー部材１６１も回転し得る。
【００７９】
本実施形態の第２正極絶縁カバー部材１６２は、正極ベース部１６２ａと、当該正極ベース部１６２ａから起立した３つの係止爪１６２ｂとを備えている。３つの係止爪１６２ｂに対応させて、第１正極絶縁カバー部材１６１の外周面には、上記係止爪１６２ｂが係止可能な係止溝１６１ｂが周方向に沿って有る。第２正極絶縁カバー部材１６２は、係止爪１６２ｂが係止溝１６１ｂに係止されることによって、第１正極絶縁カバー部材１６１に取り付けられている。この場合、係止溝１６１ｂが周方向に延びている関係上、係止爪１６２ｂと係止溝１６１ｂとの係止では、第２正極絶縁カバー部材１６２に対する第１正極絶縁カバー部材１６１の回転は規制されない。
【００８０】
これに対して、正極ベース部１６２ａは、正極端子１５の凹部５１ｃに嵌合する凸部６２ｄを有している。なお、正極ベース部１６２ａの幅Ｙ１については第１実施形態の正極ベース部６２ａと同様であるため、詳細な説明を省略する。
【００８１】
以上詳述した本実施形態の作用効果について説明する。
（６）絶縁カバー部材としての第２正極絶縁カバー部材１６２は、正極端子１５に取り付けられている第１正極絶縁カバー部材１６１に取り付けられている。かかる構成において、第２正極絶縁カバー部材１６２に有る非円柱状の凸部６２ｄと正極端子１５の凹部５１ｃとが嵌合している。これにより、正極端子１５に付与される回転力を第２正極絶縁カバー部材１６２にて好適に受けることができる。よって、係止爪１６２ｂと係止溝１６１ｂとの係止では、第２正極絶縁カバー部材１６２に対する第１正極絶縁カバー部材１６１の回転が規制されない場合であっても、（１）等の効果を得ることができる。
【００８２】
なお、上記各実施形態は以下のように変更してもよい。
○  ベース部の形状は、長方形に限られず、非円形であれば任意である。例えば図１４に示すように、正極ベース部１７０は上方から見て台形状であってもよい。この場合、正極ベース部１７０の幅Ｙ１は、横方向Ｘに応じて変動する。かかる構成では、正極ベース部１７０の幅Ｙ１の最大値Ｙ１ｍａｘが、正極端子１５及び正極導電部材４０が回転するのを規制するように両対向内面１１ａ，１１ｂ間の距離Ｙ０に対応させて設定されているとよい。例えば、正極ベース部１７０は、正極軸部５２の軸線とは横方向Ｘにずれた位置にて幅Ｙ１が最大となる形状であって、その最大値Ｙ１ｍａｘは、両対向内面１１ａ，１１ｂ間の距離Ｙ０と同一に設定されているとよい。つまり、正極ベース部は、横方向Ｘに応じて幅が変動しない形状であってもよいし、横方向Ｘに応じて幅が変動する形状であってもよい。負極ベース部についても同様である。要は、ベース部は、対向内面１１ａ，１１ｂとの当接によって回転を規制することができれば、その具体的な形状は任意である。
【００８３】
○  正極ベース部６２ａ，１６２ａの幅Ｙ１は、両対向内面１１ａ，１１ｂ間の距離Ｙ０と同一に設定されていたが、これに限られない。例えば、正極ベース部６２ａをケース１１内に挿入し易くするために、正極端子１５及び正極導電部材４０が回転するのを規制できる範囲内で、正極ベース部６２ａの幅Ｙ１が両対向内面１１ａ，１１ｂ間の距離Ｙ０よりも若干短く設定されてもよい。また、正極ベース部６２ａ，１６２ａの幅Ｙ１は、正極端子１５及び正極導電部材４０が回転する場合に正極導電部材４０が対向内面１１ａ，１１ｂに当接するよりも前に正極ベース部６２ａ，１６２ａが対向内面１１ａ，１１ｂに当接するように設定されていてもよい。負極ベース部１０１ａも同様である。
【００８４】
○  正極ベース部６２ａは対向方向Ｚから見て非円形であるため、正極ベース部６２ａにおける対向方向Ｚと直交する方向の長さには最大値と最小値とが存在する。この場合、正極ベース部６２ａにおける対向方向Ｚと直交する方向の長さの最大値が両対向内面１１ａ，１１ｂ間の距離Ｙ０以上に設定されていてもよい。負極ベース部１０１ａについても同様である。なお、仮にベース部が長方形の板状である場合、上記最大値とは対角線の長さである。
【００８５】
○  正極ベース部６２ａ，１６２ａ又は負極ベース部１０１ａのいずれか一方を省略してもよい。
○  正極端子１５は、正極外側ネジ溝５２ａと正極内側ネジ溝５６ａとの２つのネジ部を有していたが、これに限られず、いずれか一方のネジ部を有する構成であってもよい。負極端子１６についても同様である。
【００８６】
○  第２正極絶縁カバー部材は正極端子１５に取り付けられていてもよい。要は、第２正極絶縁カバー部材は、正極端子１５に回転力が付与された場合に当該回転力が伝達されるように構成されていればよい。
【００８７】
○  第１負極絶縁カバー部材１０１は、溶着などによって、負極端子１６に取り付けられた第２負極絶縁カバー部材１０２に取り付けられてもよい。
○  凸部は、非円柱状であれば、その具体的な形状は任意であり、例えば楕円柱状等であってもよい。また、凹部の形状は、凸部と嵌合可能となるように凸部の形状に対応していればよい。
【００８８】
○  凸部６２ｄ及び凹部５１ｃの位置は、正極軸部５２の軸線上に限られず、任意である。また、凸部６２ｄ及び凹部５１ｃは、正極軸部５２の軸線上とは異なる位置に配置されている場合には、非円柱状に限られず、円柱状であってもよい。
【００８９】
○  第１実施形態において、凸部６２ｄと凹部５１ｃとを省略してもよい。
○  凸部が正極端子１５に有り、凹部が第２正極絶縁カバー部材６２に有ってもよい。
○  互いに接触している支持部１０１ｂにおける支持凹部１０１ｃの周縁部、及び、遮断接合部７２の下面のうち、いずれか一方に非円柱状の凸部が有り、他方に上記凸部と嵌合する凹部が有ってもよい。これにより、負極導電部材７０に対する第１負極絶縁カバー部材１０１の回転を、より好適に抑制できる。但し、遮断接合部７２の下面に凹部が有ると、電流が流れる面積が小さくなり得ることを鑑みれば、遮断接合部７２の下面に凸部があるとよい。
【００９０】
○  電極組立体１４は、帯状の正極電極と負極電極とが、帯状のセパレータを介して捲回されて積層構造となった捲回型であってもよい。
○  二次電池１０は、車両に搭載して走行に用いてもよいし、定置用の電源として用いてもよい。
【００９１】
○  ケース１１の形状は任意であり、例えば円筒状であってもよい。
○  二次電池１０は、リチウムイオン電池であったが、これに限られず、他の二次電池であってもよい。要は、正極活物質層２１ｂと負極活物質層２２ｂとの間をイオンが移動するとともに電荷の授受を行うものであればよい。また、蓄電装置として電気二重層キャパシタでもよい。
【００９２】
次に、上記実施形態及び別例から把握できる好適な一例について以下に記載する。
（イ）異なる極性の電極がセパレータを介して交互に積層された電極組立体と、電極組立体が収容されているものであって、電極の積層方向に直交する方向に沿い、かつ互いに対向する２つの対向内面を有するケースと、ケースの内外に跨って配置されている端子であってネジ部を有する端子と、電極の端部から突出した形状のタブと端子とに接合されている導電部材と、端子、導電部材、若しくは端子又は導電部材に取り付けられる部品のいずれかに取り付けられるものであって端子と電極組立体との間に介在する絶縁カバー部材と、を備え、絶縁カバー部材は、端子及び導電部材に対する回転が規制されており、絶縁カバー部材は、対向内面と当接することによって端子及び導電部材が回転するのを規制する規制部を備えていることを特徴とする蓄電装置。
【符号の説明】
【００９３】
１０…二次電池、１１…ケース、１１ａ，１１ｂ…対向内面、１４…電極組立体、１５，１６…端子、２１，２２…電極、３１，３２…タブ、４０，７０，１４０…導電部材、５１ｃ…凹部、５２ａ，８２ａ…外側ネジ溝（ネジ部）、５６ａ，８６ａ…内側ネジ溝（ネジ部）、６２，１６２…第２正極絶縁カバー部材、６２ａ，１０１ａ，１６２ａ，１７０…ベース部、６２ｄ…凸部、９０…電流遮断部、１０１…第１負極絶縁カバー部材、２００…電池モジュール、２０１…バスバー、２０２…ボルト、Ｙ０…両対向内面間の距離、Ｙ１，Ｙ２…ベース部の幅。
【図１】
2016103447.tif 000003
【図２】
2016103447.tif 000004
【図３】
2016103447.tif 000005
【図４】
2016103447.tif 000006
【図５】
2016103447.tif 000007
【図６】
2016103447.tif 000008
【図７】
2016103447.tif 000009
【図８】
2016103447.tif 000010
【図９】
2016103447.tif 000011
【図１０】
2016103447.tif 000012
【図１１】
2016103447.tif 000013
【図１２】
2016103447.tif 000014
【図１３】
2016103447.tif 000015
【図１４】
2016103447.tif 000016